(57)【要約】【課題】独特の風情ある雰囲気を醸し出すことができる装飾用照明装置を提供する。【解決手段】光源２と、光源２の周囲に配置されたシェード６とを備え、シェード６からの透過光によって設置空間を装飾する装飾用照明装置１であって、シェード６は、凹凸基材を透光性シートで挟み込むと共にそれらを圧着させてなる凹凸シート５ａから構成されていることを特徴とする装飾用照明装置１とした。【選択図】図１
2009059553.tif 000002
【特許請求の範囲】
【請求項１】
光源と、光源の周囲に配置されたシェードとを備え、当該シェードからの透過光によって設置空間を装飾する装飾用照明装置であって、
前記シェードは、凹凸基材を透光性シートで挟み込むと共にそれらを圧着させてなる凹凸シートから構成されていることを特徴とする装飾用照明装置。
【請求項２】
前記凹凸基材は、布であることを特徴とする請求項１に記載の装飾用照明装置。
【請求項３】
前記布は、オーガンジーであることを特徴とする請求項２に記載の装飾用照明装置。
【請求項４】
前記布は、光沢を有する糸からなっていることを特徴とする請求項２または３に記載の装飾用照明装置。
【請求項５】
前記光沢を有する糸は、ラメ糸であることを特徴とする請求項４に記載の装飾用照明装置。
【請求項６】
前記シェードは、少なくとも１枚の前記凹凸シートと、透光性シートに絵柄を有してなる絵柄シートとを重ねたものから構成されていることを特徴とする請求項１〜５のいずれか１項に記載の装飾用照明装置。
【請求項７】
前記凹凸基材は、絵柄を有する透光性の紙にしわを形成したものであることを特徴とする請求項１に記載の装飾用照明装置。
【請求項８】
前記紙は、茶色のクラフト紙であることを特徴とする請求項７に記載の装飾用照明装置。
【請求項９】
前記紙は、蝋引きされていることを特徴とする請求項７または８に記載の装飾用照明装置。
【請求項１０】
前記蝋引きは、前記紙に対して不均一に行われていることを特徴とする請求項９に記載の装飾用照明装置。
【請求項１１】
前記シェードは、前記凹凸シートおよび前記絵柄シートを交換可能に複数枚保持し得るシート保持部材を備えていることを特徴とする請求項１〜１０のいずれか１項に記載の装飾用照明装置。
【発明の詳細な説明】
【技術分野】
【０００１】
本発明は、光源と、光源の周囲に配置されたシェードとを備え、当該シェードからの透過光によって設置空間を装飾する装飾用照明装置に関する。
【背景技術】
【０００２】
従来、蛍光灯や白熱灯を光源とした照明装置が、夜間等に室内を明るくするために用いられている。
【０００３】
これに対し、室内を単に明るくするのではなく、意図的に暗くした室内等で趣のある雰囲気を醸し出すべく、シェード等により光源からの光に装飾的効果を与える構成を備えた装飾用照明装置も使用されている。
【０００４】
その装飾用照明装置としては、例えば、特許文献１記載のものが提案されている。特許文献１記載の装飾用照明装置は、所定間隔をあけて配置された複数の透光性パネルからなるシェード体を光源の周囲に配置し、当該シェード体の透光性パネル間に写真・絵画・図柄などの平面的造形物、水などの液体およびドライアイスの煙などの気体を挿入して構成されている。この装飾用照明装置は、シェード体の透光性パネル間に挿入するものを変更することにより、配光・光色・デザイン等を適宜変化させることができる。
【０００５】
また、例えば、特許文献２記載の装飾用照明装置が提案されている。特許文献２記載の装飾用照明装置は、蛇腹式のシェードを伸縮させることで、シェードを透過する光の明暗を適宜調整し、その趣を変化させ得る構成となっている。
【特許文献１】特開２００５−１７４８９１号公報
【特許文献２】特開２００３−３４６５２３号公報
【発明の開示】
【発明が解決しようとする課題】
【０００６】
しかしながら、特許文献１記載の装飾用照明装置であっても、シェード体を透過した光は単調となり、風情のある雰囲気を醸し出すのに十分とは言えなかった。
【０００７】
また、特許文献２記載の装飾用照明装置では、シェードによって透過光の明暗を変化させ得るのみであり、風情のある雰囲気を醸し出すのに十分とは言えなかった。
【０００８】
本発明は上記事情に鑑みてなされたものであり、その目的とするところは、独特の風情ある雰囲気を醸し出すことができる装飾用照明装置を提供することにある。
【課題を解決するための手段】
【０００９】
上記課題を解決するために本発明は、（１）光源と、光源の周囲に配置されたシェードとを備え、当該シェードからの透過光によって設置空間を装飾する装飾用照明装置であって、前記シェードは、凹凸基材を透光性シートで挟み込むと共にそれらを圧着させてなる凹凸シートから構成されていることを特徴とする装飾用照明装置を提供するものである。
【００１０】
また本発明は、上記構成において、（２）前記凹凸基材は、布であることを特徴とする装飾用照明装置を提供するものである。
【００１１】
また本発明は、上記構成（２）において、（３）前記布は、オーガンジーであることを特徴とする装飾用照明装置を提供するものである。
【００１２】
また本発明は、上記構成（２）または（３）において、（４）前記布は、光沢を有する糸からなっていることを特徴とする装飾用照明装置を提供するものである。
【００１３】
また本発明は、上記構成（４）において、（５）前記光沢を有する糸は、ラメ糸であることを特徴とする装飾用照明装置を提供するものである。
【００１４】
また本発明は、上記構成（１）〜（５）のいずれかにおいて、（６）前記シェードは、少なくとも１枚の前記凹凸シートと、透光性シートに絵柄を有してなる絵柄シートとを重ねたものから構成されていることを特徴とする装飾用照明装置を提供するものである。
【００１５】
また本発明は、上記構成（１）において、（７）前記凹凸基材は、絵柄を有する透光性の紙にしわを形成したものであることを特徴とする装飾用照明装置を提供するものである。
【００１６】
また本発明は、上記構成（７）において、（８）前記紙は、茶色のクラフト紙であることを特徴とする装飾用照明装置を提供するものである。
【００１７】
また本発明は、上記構成（７）または（８）において、（９）前記紙は、蝋引きされていることを特徴とする装飾用照明装置を提供するものである。
【００１８】
また本発明は、上記構成（９）において、（１０）前記蝋引きは、前記紙に対して不均一に行われていることを特徴とする装飾用照明装置を提供するものである。
【００１９】
また本発明は、上記構成（１）〜（１０）のいずれかにおいて、（１１）前記シェードは、前記凹凸シートおよび前記絵柄シートを交換可能に複数枚保持し得るシート保持部材を備えていることを特徴とする装飾用照明装置を提供するものである。
【発明の効果】
【００２０】
上記のように構成された本発明の装飾用照明装置によれば、光源からの光が、凹凸基材を挟み込んだ凹凸シートを透過する際、複雑に屈折して周囲を多様に照らすと共に、凹凸基材に応じた影を創造するため、独特の風情ある雰囲気を醸し出すことができる。
【発明を実施するための最良の形態】
【００２１】
以下、図面を参照して本発明の好ましい一実施形態につき説明する。
図１は本発明に係る装飾用照明装置の一例を示す斜視図、図２は図１の装飾用照明装置における凹凸シートを省略して示す斜視図、図３は図１の装飾用照明装置における凹凸シートを示す正面図、部分拡大図および部分断面図である。
【００２２】
本実施形態に係る装飾用照明装置１は主に、図１または図２に示す如く、光源２と、光源２を支持する基台３と、光源２の周囲に設けられた枠体４と枠体４に保持された凹凸シート５ａとからなるシェード６と、から構成されている。
なお、本実施形態においては、枠体４がシート保持部材を構成している。
【００２３】
光源２は、明るさが比較的低い電球２１と、電球２１が取り付けられるソケット２２とからなっている。電球２１は、例えば１０Ｗの白熱電球が用いられる。ソケット２２は、不図示の電気コードを介して家庭用電源等に接続され、電球２１に給電する。
【００２４】
基台３は、木製であって、図２に示す如く、４枚の側板３１とそれらの上方に配置された上板３２とからなり、下方に開口した箱状に形成されている。上板３２は、側板３１に対して取り外し可能に配置されている。上板３１は、スリット３３を有していて、ソケット２２をスリット３３に挿入して支持し得るようになっている。
【００２５】
枠体４は、木製であって、図１および図２に示す如く、上方および下方が開いた箱の各側面に対して矩形窓を設けた形状となっている。枠体４には、各窓に対して、凹凸シート５ａが挿入されるスリット４１が設けられている。スリット４１は、凹凸シート５ａを複数枚挿入し得るように形成されている。
【００２６】
凹凸シート５ａは、図３に示す如く、２枚のラミネートフィルム５１の間に、織目が比較的粗い布５２を挟み込み、さらにそれらを加熱圧着させて構成されている。加熱圧着は、市販のラミネーターによって容易に実行される。
【００２７】
凹凸シート５ａは、ラミネートフィルム５１，５１間に布５２が挟まれているため、図３Ｂに示す如く、その形状に沿った凹凸表面を有することとなる。また、凹凸シート５ａのラミネートフィルム５１，５１間には、加熱圧着の際に入り込んだ空気によって、空気層５３が点在している。
なお、本実施形態においては、布５２と空気層５３とが凹凸基材を構成し、ラミネートフィルムが透光性シートを構成している。
【００２８】
このような凹凸シート５ａは、図１に示す如く、枠体４の各スリット４１に挿入され、光源２の周囲を囲むように配置される。
【００２９】
上記のように構成された装飾用照明装置１によれば、光源２からの光が、凹凸シート５ａを透過する際、布５２にならって生じた凹凸シート５ａ両面の凹凸と、ラミネートフィルム５１，５１間に生成された空気層５３とによって複雑に屈折する。さらに、布５２の織りの状態に応じた影が凹凸シート５ａの表面に出現する。その結果、装飾用照明装置１は、設置された空間において、周囲を変化に富んだ光によって照らすことができ、それによって風情ある独特な雰囲気を醸し出すことができる。
【００３０】
また、上記の装飾用照明装置１によれば、凹凸基材の異なる凹凸シート５ａを準備し、枠体４のスリット４１内に挿入する凹凸シート５ａを適宜入れ替えることによって、装飾用照明装置１が醸し出す雰囲気を適宜変化させることができる。
【００３１】
以上、本発明の実施形態について具体的に説明したが、本発明は次のように変形して実施することができる。
【００３２】
［変形例１］
例えば、凹凸シート５ａの布５２として、光沢を有する糸、好ましくはラメ糸、を織ったものを使用することができる。この場合、ラメ糸が光源２からの光を受けて金属光沢を放つため、凹凸シート５ａを透過する光がさらに変化に富んだものとなり、さらに独特な雰囲気を醸し出すことができる。
【００３３】
［変形例２］
また、布５２として、オーガンジーを使用することもできる。この場合、織目が比較的細かいため、光の干渉による縞模様が出現し、さらに独特な雰囲気を醸し出すことができる。
【００３４】
［変形例３］
また、凹凸基材が同一である凹凸シート５ａや凹凸基材が異なる凹凸シート５ａを複数枚準備し、それらを適宜選択し重ねて枠体４のスリット４１内に挿入し、シェード６を構成することもできる。この場合、複数枚の凹凸シート５ａを透過する光がさらに変化に富んだものとなり、さらに独特な雰囲気を醸し出すことができる。
【００３５】
［変形例４］
また、例えばポリエチレンテレフタレートからなるＯＨＰシート等の透光性シートに、絵柄を印刷等によって付加した絵柄シート７を準備し、絵柄シート７と少なくとも１枚の凹凸シート５ａとを重ねて（図５参照）枠体４のスリット４１内に挿入し、シェード６を構成することもできる。この場合、絵柄シート７に付加された絵柄が、凹凸シート５ａを透過した変化に富む光によって照らされるため、奥行きのある絵柄が浮かび上がり、幻想的な雰囲気を醸し出すことができる。
【００３６】
［変形例５］
また、凹凸シートを、図４に示すような凹凸シート５ｂとして構成してもよい。凹凸シート５ｂは、２枚のラミネートフィルム５１の間に、絵柄が印刷等によって付加された透光性の紙５４を挟み込み、さらにそれらを加熱圧着させて構成されている。紙５４は、好ましくは茶色のクラフト紙からなり、絵柄が付加された後、蝋５５が不均一に付着せしめられている。なお、クラフト紙は、透光性が不均一になっている。
紙５４はさらに、一旦くしゃくしゃに丸められた後、元に戻されることでしわ５６が形成されている。このしわ５６は、蝋５５の付着部分においては、蝋５５の白いひび割れを伴って形成される。また、ラミネートフィルム５１，５１間には、加熱圧着の際に入り込んだ空気によって、空気層５３が点在している。
【００３７】
この凹凸シート５ｂにおいては、蝋５５が付着せしめられ、かつしわ５６が形成された紙５４と、空気層５３とが、凹凸基材を構成することになる。凹凸シート５ｂは、これら凹凸基材にならって、両面が凹凸に形成される。
【００３８】
凹凸シート５ｂによってシェード６を構成した装飾用照明装置によれば、光源２からの光が、凹凸シート５ｂを透過する際、凹凸シート５ａ両面の凹凸と、ラミネートフィルム５１，５１間に生成された空気層５３と、蝋５５とによって複雑に屈折する。その結果、当該装飾用照明装置は、設置された空間において、周囲を変化に富んだ光によって照らすことができる。
【００３９】
さらに、古びた印象を与える茶色のクラフト紙上に形成された蝋５５の白いひび割れによって、紙５４に付加された絵柄が古画のように照らし出され、それによって風情ある独特な雰囲気を醸し出すことができる。
【００４０】
［変形例６］
また、例えば上板３２の配置高さを段階的に下げ得るように構成することで、光源２とシェード６との相対位置を適宜変更可能にすることもできる。この場合、シェード６の凹凸シート５ａまたは凹凸シート５ｂに入射する光の角度を適宜調整することができ、透過光が醸し出す雰囲気を微妙に調節することができる。
【００４１】
［変形例７］
また、凹凸基材として、米粒や押し花等を用いることもできる。
【図面の簡単な説明】
【００４２】
【図１】本発明に係る装飾用照明装置の一例を示す斜視図である。
【図２】図１の装飾用照明装置における凹凸シートを省略して示す斜視図である。
【図３】図１の装飾用照明装置における凹凸シートを示す正面図および部分断面図である。
【図４】凹凸シートの別の例を示す正面図および部分断面図である。
【図５】凹凸シートと絵柄シートとの組合せを示す正面図である。
【符号の説明】
【００４３】
１  装飾用照明装置
２  光源
３  基台
４  枠体（シート保持部材）
５ａ、５ｂ  凹凸シート
６  シェード
７  絵柄シート
２１  電球
２２  ソケット
３１  側板
３２  上板
３３  スリット
４１  スリット
５１  ラミネートフィルム（透光性フィルム）
５２  布
５３  空気層
５４  紙
５５  蝋
５６  しわ
【図１】
2009059553.tif 000003
【図２】
2009059553.tif 000004
【図３】
2009059553.tif 000005
【図４】
2009059553.tif 000006
【図５】
2009059553.tif 000007